【手続補正書】
【提出日】平成17年3月15日(2005.3.15)
【手続補正１】
【補正対象書類名】明細書
【補正対象項目名】特許請求の範囲
【補正方法】変更
【補正の内容】
【特許請求の範囲】
【請求項１】  複数のアンテナを有するアンテナアレイを備えた、所定の位置に在る通信機が含まれた無線通信システムにおいて、アンテナアレイのビーム形成技術を使用するかどうかを判別する方法であって、
通信ユニットの所定の位置と前記通信機の位置との間の距離を求めるステップと、
求めた距離を所定の距離の閾値と比較するステップと、
求めた距離を所定の距離の閾値と比較した結果に基づき、アンテナアレイのビーム形成技術を使用するかどうかを判別するステップとを、備えた方法。
【請求項２】  前記のアンテナアレイのビーム形成技術を使用するかどうかを判別するステップは、求めた距離が所定の距離の閾値より大きい場合に、アンテナアレイのビーム形成技術を使用することを決定するステップを備えた請求項1記載の方法。
【請求項３】  複数のアンテナを有するアンテナアレイを備えた通信機が含まれた無線通信システムにおいて、アンテナアレイのビーム形成技術を使用するかどうかを判別する方法であって、
前記通信機から通信ユニットの位置への方位を求めるステップと、
第1の受信信号を生成するために、前記複数のアンテナのうちの第1のアンテナを介して、前記通信ユニットから信号を受信するステップと、
第2の受信信号を生成するために、前記複数のアンテナのうちの第2のアンテナを介して、前記通信ユニットから前記信号を受信するステップと、
前記第1の受信信号及び前記第2の受信信号に基づき、前記信号の到達方向を求めるステップと、
前記通信ユニットの位置を、前記信号の到達方向と比較するステップと、
その比較結果に基づいて、前記方位と前記到達方向との差を求めるステップと、
前記の求めた差に基づいて、アンテナアレイのビーム形成技術を使用するかどうかを判別するステップとを、備えた方法。
【請求項４】  前記の求めた差を所定の差の閾値と比較するステップをさらに備え、前記のアンテナアレイのビーム形成技術を使用するかどうかを判別するステップは、前記の求めた差を所定の差の閾値と比較した結果に基づいてアンテナアレイのビーム形成技術を使用するかどうかを判別するステップを備えた請求項3記載の方法。
【請求項５】  前記信号の到達方向を求めるステップは、
前記第1の受信信号の到達時刻を求めるステップと、
前記第2の受信信号の到達時刻を求めるステップと、
前記第1の受信信号の到達時刻及び第2の受信信号の到達時刻に基づいて、前記信号の到達方向を求めるステップとを、備えた請求項3記載の方法。
【請求項６】  前記信号の到達方向を求めるステップは、
前記第1の受信信号の位相を求めるステップと、
前記第2の受信信号の位相を求めるステップと、
前記第1の受信信号の位相及び第2の受信信号の位相に基づいて、前記信号の到達方向を求めるステップとを、備えた請求項3記載の方法。
【請求項７】  前記通信ユニットの位置を、前記信号の到達方向と比較するステップは、
前記方位に基づいて、第1のベクトルを求めるステップと、
前記到達方向に基づいて、第2のベクトルを求めるステップと、
前記第1のベクトルを前記第2のベクトルと比較するステップとを、備えた請求項3記載の方法。
【請求項８】  前記方位と前記到達方向との差を求めるステップは、前記第1のベクトルと前記第2のベクトルとの角度の差を求めるステップを備えた請求項7記載の方法。
【請求項９】  前記角度の差を所定の角度の閾値と比較するステップをさらに備え、前記のアンテナアレイのビーム形成技術を使用するかどうかを判別するステップは、前記角度の差を所定の角度の閾値と比較した結果に基づいてアンテナアレイのビーム形成技術を使用するかどうかを判別するステップを備えた請求項8記載の方法。
【請求項１０】  前記通信機の位置を求めるステップと、
前記通信ユニット及び前記通信機間の距離を求めるステップと、
前記の求めた距離を所定の距離の閾値と比較するステップとを、さらに備え、
前記のアンテナアレイのビーム形成技術を使用するかどうかを判別するステップは、前記方位と前記到達方向との前記の求めた差に基づくとともに前記の求めた距離を前記所定の距離の閾値と比較した結果に基づき、アンテナアレイのビーム形成技術を使用するかどうかを判別するステップを備えた請求項3記載の方法。
【請求項１１】  前記通信機が、前記通信ユニットから複数の信号を受信する請求項10記載の方法であって、
前記通信ユニットから、前記複数の信号のうちの第1の信号を受信するステップと、
前記第1の信号に基づいて、第1の信号品質メトリックを求めるステップと、
前記通信ユニットから、前記複数の信号のうちの第2の信号を受信するステップと、
前記第2の信号に基づいて、第2の信号品質メトリックを求めるステップと、
信号品質メトリック変化率を求めるために、前記第1の信号品質メトリックを前記第2の信号品質メトリックと比較するステップとを、さらに備え、
前記のアンテナアレイのビーム形成技術を使用するかどうかを判別するステップは、前記方位と前記到達方向との前記の求めた差、前記の求めた距離を所定の距離の閾値と比較した結果、及び前記信号品質メトリック変化率に基づき、アンテナアレイのビーム形成技術を使用するかどうかを判別するステップを備えた方法。
【請求項１２】  前記方位と前記到達方向との前記の求めた差を、所定の差の閾値と比較するステップと、
前記信号品質メトリック変化率を、所定の信号品質メトリック変化率の閾値と比較するステップとを、さらに備え、
前記のアンテナアレイのビーム形成技術を使用するかどうかを判別するステップは、前記の求めた差が所定の差の閾値よりも大きいか、前記の求めた距離が所定の距離の閾値未満であるか、又は、前記信号品質メトリック変化率が所定の信号品質メトリック変化率の閾値よりも大きい場合、アンテナアレイのビーム形成技術を使用しないことを決定するステップと、前記の求めた差が所定の差の閾値未満である場合、前記の求めた距離が所定の距離の閾値より大きい場合、及び前記信号品質メトリック変化率が所定の信号品質メトリック変化率未満である場合、アンテナアレイのビーム形成技術を使用することを決定するステップとを、備えた請求項11記載の方法。
【請求項１３】  前記通信機が、前記通信ユニットから複数の信号を受信する請求項3記載の方法であって、
前記通信ユニットから、前記複数の信号のうちの第1の信号を受信するステップと、
前記第1の信号に基づいて、第1の信号品質メトリックを求めるステップと、
前記通信ユニットから、前記複数の信号のうちの第2の信号を受信するステップと、
前記第2の信号に基づいて、第2の信号品質メトリックを求めるステップと、
前記第1の信号品質メトリックを前記第2の信号品質メトリックと比較するステップとを、さらに備え、
前記のアンテナアレイのビーム形成技術を使用するかどうかを判別するステップは、前記方位と前記到達方向との前記の求めた差に基づくとともに前記第1の信号品質メトリックを前記第2の信号品質メトリックと比較した結果に基づき、アンテナアレイのビーム形成技術を使用するかどうかを判別するステップを備えた方法。
【請求項１４】  前記第1の信号品質メトリックを前記第2の信号品質メトリックと比較した結果に基づき、信号品質メトリック変化率を求めるステップと、
前記信号品質メトリック変化率を、所定の信号品質メトリック変化率の閾値と比較するステップとを、さらに備え、
前記のアンテナアレイのビーム形成技術を使用するかどうかを判別するステップは、前記方位と前記到達方向との前記の求めた差に基づくとともに前記信号品質メトリック変化率を所定の信号品質メトリック変化率の閾値と比較した結果に基づき、アンテナアレイのビーム形成技術を使用するかどうかを判別するステップを備えた請求項13記載の方法。
【請求項１５】  複数のアンテナを有するアンテナアレイを備えるとともにアンテナアレイのビーム形成技術を使用するベースサイトにおいて、アンテナアレイのビーム形成技術を使用するかどうかを判別する方法であって、
通信ユニットから、第1の信号を受信するステップと、
前記第1の信号に基づいて、第1の信号品質メトリックを求めるステップと、
前記通信ユニットから、第2の信号を受信するステップと、
前記第2の信号に基づいて、第2の信号品質メトリックを求めるステップと、
前記第1の信号品質メトリックを前記第2の信号品質メトリックと比較するステップと、
前記第1の信号品質メトリックを前記第2の信号品質メトリックと比較した結果に基づき、アンテナアレイのビーム形成技術を使用するかどうかを判別するステップとを、備えた方法。
【請求項１６】  前記第1の信号品質メトリックを前記第2の信号品質メトリックと比較した結果に基づき、信号品質メトリック変化率を求めるステップと、
前記信号品質メトリック変化率を、所定の信号品質メトリック変化率の閾値と比較するステップとを、さらに備え、
前記のアンテナアレイのビーム形成技術を使用するかどうかを判別するステップは、前記信号品質メトリック変化率を所定の信号品質メトリック変化率の閾値と比較した結果に基づき、アンテナアレイのビーム形成技術を使用するかどうかを判別するステップを備えた請求項15の方法。
【請求項１７】  通信機を備えた装置であって、該通信機には、
通信ユニットから信号を受信して第1の受信信号を生成する第1のアンテナ、及び前記通信ユニットから前記信号を受信して第2の受信信号を生成する第2のアンテナを有するアンテナアレイと、
前記アンテナアレイに接続され、前記通信ユニットの地理的位置を求め、前記通信機から前記通信ユニットの前記地理的位置への方位を求め、前記第1の受信信号の到達時刻を求め、前記第2の受信信号の到達時刻を求め、前記第1及び第2の受信信号の各到達時刻に基づいて前記通信ユニットからの前記信号の到達方向を求め、前記方位を前記到達方向と比較し、その比較結果に基づいて前記方位と前記到達方向との差を求め、前記の求めた差を所定の差の閾値と比較し、前記の求めた差を所定の差の閾値と比較した結果に基づいてアンテナアレイのビーム形成技術を使用するかどうかを判別するプロセッサと、
前記プロセッサと接続され、前記通信機の求められた位置、前記所定の差の閾値、及び到達方向アルゴリズムを格納したメモリと、が含まれた装置。
【請求項１８】  前記プロセッサが、さらに、前記通信ユニット及び前記通信機間の距離を求め、この求めた距離を所定の距離の閾値と比較し、この求めた差を所定の差の閾値と比較した結果に基くとともに前記の求めた距離を所定の距離の閾値と比較した結果に基づき、アンテナアレイのビーム形成技術を使用するかどうかを判別し、前記メモリに、前記所定の距離の閾値が格納されている請求項17記載の装置。
【請求項１９】  前記プロセッサは、さらに前記通信ユニットから複数の信号を受信し、該複数の信号うちの第1の信号についての第1の信号品質メトリックを求め、前記通信ユニットから前記複数の信号のうちの第2の信号を受信し,該第2の信号についての第2の信号品質メトリックを求め、前記第1の信号品質メトリックを前記第2の信号品質メトリックと比較して信号品質メトリック変化率を生成し、該信号品質メトリック変化率を所定の信号品質メトリック変化率の閾値と比較して、前記の求めた差を前記の所定の差の閾値と比較した結果と、前記の求めた距離を前記の所定の距離の閾値と比較した結果と、前記信号品質メトリック変化率を前記の所定の信号品質メトリック変化率の閾値と比較した結果と、に基づきアンテナアレイのビーム形成技術を使用するかどうかを判別し、前記の所定の信号品質メトリック変化率の閾値が前記メモリに格納される請求項18記載の装置。
【請求項２０】  前記プロセッサは,前記の求めた差が前記の所定の差の閾値より大きいか、前記の求めた距離が前記の所定の距離の閾値未満であるか、又は前記信号品質メトリック変化率が前記の所定の信号品質メトリック変化率の閾値よりも大きい場合、アンテナアレイのビーム形成技術を使用しないことを決定し、前記の求めた差が前記の所定の差の閾値より小さい場合、前記の求めた距離が前記の所定の距離の閾値より大きい場合、及び前記信号品質メトリック変化率が前記の所定の信号品質メトリック変化率の閾値よりも小さい場合、アンテナアレイのビーム形成技術を使用することを決定する請求項19記載の装置。
【請求項２１】  通信機を備えた装置であって、該通信機には、
通信ユニットから信号を受信して第1の受信信号を生成する第1のアンテナ、及び該通信ユニットから前記信号を受信して第2の受信信号を生成する第2のアンテナを有するアンテナアレイと、
前記アンテナアレイに接続され、前記通信機から前記通信ユニットの位置への方位を求め、前記第1の受信信号及び第2の受信信号に基づいて前記通信ユニットからの信号の到達方向を求め、前記通信ユニットの位置を前記信号の到達方向と比較し、その比較結果に基づいて前記方位と前記到達方向との差を求め、前記の求めた差に基づいてアンテナアレイのビーム形成技術を使用するかどうかを判別するプロセッサと、が含まれた装置。
【請求項２２】  通信機を備えた装置であって、該通信機には、
通信ユニットから信号を受信して第1の受信信号を生成する第1のアンテナ、及び該通信ユニットから前記信号を受信して第2の受信信号を生成する第2のアンテナを有するアンテナアレイと、
前記アンテナアレイに接続され、前記第1の受信信号に基づいて第1の信号品質メトリックを求め、前記第２の受信信号に基づいて第２の信号品質メトリックを求め、該第1の信号品質メトリックを該第２の信号品質メトリックと比較し、該第1の信号品質メトリックを該第２の信号品質メトリッと比較した結果に基づいてアンテナアレイのビーム形成技術を使用するかどうかを判別するプロセッサと、が含まれる装置。
【請求項２３】  前記プロセッサが、前記第1の信号品質メトリックを前記第２の信号品質メトリッと比較した結果に基づいて信号品質メトリック変化率を求め、該信号品質メトリック変化率を所定の信号品質メトリック変化率の閾値と比較し、該信号品質メトリック変化率を前記の所定の信号品質メトリック変化率の閾値と比較した結果に基づきアンテナアレイのビーム形成技術を使用するかどうかを判別する請求項２２に記載の装置。